(57)【要約】  本発明は、動力を与える機械的磁気エンジンに関する。さらに、この能力に関係する技術分野は、クリーンな恒久的なエネルギー、非恒久的な貯水池から得られる、恒久的で継続的な自己機械的動作の分野である。本発明の最も重要な構成要素は、磁石、導電体、およびクランクシャフト、磁気スペクトルの影響を受けない金属材料、磁場用磁性材料、水平と垂直の間、および円形と振動の間で変化させるための極およびギアである（図１）。本発明は、太陽エネルギーアナライザー、機械式燃料ドリル、電動機、および太陽エネルギー、風力エネルギー、水力エネルギーなどのクリーンエネルギー残りの発電機を解決する。本発明は、いずれかの機械的移動エネルギーおよびいずれかの電気エネルギーへの必要性の代わりに使用することができる。【選択図】図１
2021520182.tif 000002
【特許請求の範囲】
【請求項１】
磁気共鳴または磁気に基づく、またはそれらを相互に依存して継続的な機械的運動を誘導する機械式エンジン。
【請求項２】
引力と磁気共鳴によって連続エネルギーを生成する方法。
【請求項３】
磁石のエネルギーを検出し、枯渇の弱さを検出するセンサー。
【請求項４】
作業、運動と操作、摩擦、電気、またはその両方の間にエンジン内で磁石を充電して再通電する方法。
【請求項５】
本発明に関連するスペアパーツ。
【請求項６】
磁気スペクトルへと露出し、磁石の間でそれをブロックし、その中でそれらを回転させる、要素。
【請求項７】
エネルギーを生成するための、磁石間の驚きと驚きの波の磁気効果の要素。
【請求項８】
燃料エンジンを駆動し、それらを磁気エンジンに変換する。
【発明の詳細な説明】
【技術分野】
【０００１】
本発明は、運動機械に関連し、コストをかけずに、クリーンで魅力的な永久的かつ継続的なエネルギーを得ることができる。
【背景技術】
【０００２】
本発明は、動力再充電のための電源を必要とする機械的および電気的駆動である現在の燃料エンジンの代替または補完であり、したがって、本発明は、石油、天然ガス、石炭、および他のタイプのような化石エネルギー、ならびに太陽、風力、水力他のような既存のクリーンエネルギー源に基づくモーターおよび発電機のほとんどの問題を克服する。
【０００３】
運輸業および料理家電他に必要な機械的動作および電気は、次のものを含む現在の多くの問題にかかわる：
１．  石油、ガス、および石炭のタイプなどではその供給源が限られていること、ならびに太陽、風、水流、川、海などの有限の資源ではないものなど、低パフォーマンス、または制限された使用、または高コスト、または接続性、またはその他などの１つ以上の欠点がないわけでないこと。
２．  そのエネルギーのために発生する材料の燃焼に起因する有害ガスの排出による環境汚染。
３．  内燃室内での強制燃焼による騒音公害。
４．  燃焼過程で発生する強烈な熱。
５．  大きな燃料消費。
６．  燃料燃焼による酸素消費が天候に影響する。
７．  抽出、濾過、選別、リサイクル、輸送、および保管されるあらゆる種類の燃料自体
８．  可燃性物質の輸送、保管および使用、ならびに調理操作における高いリスク。
９．  燃料を使用する機械の頻繁な故障、その輸送が故障したり、遠隔地で燃料が不足したりすると、ユーザーにリスクをもたらすことがある。
１０．  燃料を使用する機械の修理と保守には高いコストがかかり、複雑さとその要件が増し、専門家が不足している。
１１．  改良ワークショップ（整備）を普及させる必要があり、それに応じて多くの有能なエンジニアと専門職の雇用の必要性、そして自動車燃料の機械工に関する教育と訓練のための大学と学校と教師の必要性。
【０００４】
本発明は、アッラーの全能の許可を得て、これらの問題にまたはその大部分を克服する。
【０００５】
本発明に最も近い技術的状況の最初の調査、および個人的な研究において、すぐにいくつかの発明および実践があった。
【発明の概要】
【０００６】
本発明は、環境を汚染する、枯渇する危険で高価なエネルギーを採用するか、太陽光や風、水、その他のタイプのエネルギーなどの、脆弱性であるか、発行の弱い場所であり、エネルギーのれとして抽出される、クリーンエネルギーに依存する、機械的および電気的技術の現在の状況と対照的に、磁気エネルギー（クリーン）および（再生不可能）の活用、および限られたコストに基づいている。
【０００７】
本発明は、環境を汚染する、枯渇する危険で高価なエネルギーを採用するか、太陽光や風、水、その他のタイプのエネルギーなどの、脆弱性であるか、発行の弱い場所であり、エネルギーのれとして抽出される、クリーンエネルギーに依存する、機械的および電気的技術の現在の状況と対照的に、磁気エネルギー（クリーン）および（再生不可能）の活用、および限られたコストに基づいている。
【０００８】
そして、この強力な磁気エネルギーは、安価でクリーンで、再生可能と非再生可能とである本発明をもたらして、ほとんどの従来の技術的な問題を克服する。この特許は、化石および他のエネルギー源による動力問題を回避しつつ、機械的および電気的エネルギーのために充電されるかまたは枯渇するかまたは脆弱なさまざまなエネルギー源への依存からの磁気エネルギーへの移行を目的とする。そして、本発明は、磁石に固有の強力でクリーンなエネルギー付与であり、それらを規則的かつ連続的な運動エネルギーに変え、特徴的な引力と斥力を使用することによってもたらされる。
【図面の簡単な説明】
【０００９】
【図１】磁気の一般的なモーターの構成、作動方法。項目（１）：旋回磁石を明確にする。項目（２）：影響を受ける磁石（レスポンダー）。つまり、磁石の力または引力を受ける磁石は、上下に動くことによって影響を受ける。項目（３）：選択された材料で作られたモーター本体の外面。項目（４）：内部からのコンパートメント（クランクシャフト）であり、脆弱性と磁気の影響を受ける領域であり、銅またはアルミニウム他の磁場の影響を受けない材料で作られる。項目（５）：内側からの本体（シリンダー）と影響を及ぼす磁石（エフェクター）の周りの外側の世界との間に押し込まれた、磁石キュート用の絶縁材料。項目（６）：磁石のクランクへの伝達脚。項目（７）：エンジンの本体を横切ってエンジンから出る動作を伝達する軸。項目（８）：モーターから外のハブカーまたは発電機他へのトランスミッションシャフト。項目９：（クランク）。項目（１０）：クランクの磁石の動作を伝達する。項目（１１）：磁石動作クランクを取り付ける軸。項目（１２）：クランクカラムから磁石を移動させるカラムへのトランスミッションギア。項目（１３）：磁石を移動させるカラムへのトランスミッションギア。項目（１４）：影響を及ぼす磁石と影響を受ける磁石の間の脆弱性と磁気の影響の領域にあるセル。項目（１５）：磁石のトランスミッションクランク。項目（１６）：垂直運動を往復運動に変換する。項目（１７）：往復運動イベントの発生。項目（１８）：動作と円滑動作の振動に対応するジョイント。項目（１９）：影響を及ぼす磁石のテンプレートカバー。項目（２０）：ルーフリッド磁石の粒状（ザクロ状）、スライドしやすいテンプレート。項目（２１）：可動磁石、すなわち力を及ぼす、または磁石の引力の影響を及ぼす。項目（２２）：磁石を含むテンプレート。項目（２３）：影響を及ぼす磁石のトラフィックの流れ。
【図２】影響を及ぼす磁石の効果を生成する多くの方法のうちの１つ。項目（１）：影響を及ぼす磁石のテンプレート。項目（２）：断熱材料磁石キュートテンプレート。項目（３）：影響を受ける磁石。項目（４）：速度を停止または減速するためのブレーキ。項目（５）：穴が磁気スペクトルを放出していることを示すフォームテンプレート。
【図３】モーターを取り付ける複数の方法のうちの１つ（３つの影響を受ける磁石）。
【図４】モーターを取り付ける複数の方法の別の方法（２つの磁石が影響を受ける）。
【図５】トラフィックを磁石へと移動させる複数の方法の別の方法。項目（１）：影響を及ぼす磁石のテンプレート。項目（２）：可動磁石の側面のカラムクランク。項目（３）：影響を及ぼす磁石。項目（４）：振動の動作をカルナック（Ｋａｒｎａｋ）の動作に対応させる軸。項目（５）：クランクシャフトの磁石のトランスミッションギア。項目（６）：小さいクランクシャフト。項目（７）：自由動作と吸収帯への軸であり円滑動作に編成されている。項目（８）：影響を受ける磁石とカルナックの間のアームの動作を接続する。項目（９）：カルナックの動作に合わせて帯の動作を促進する軸。項目（１０）：影響を受ける磁石。
【図６】磁気モーターの複数の使用のうちの１つ：空気、液体、気体などの圧縮強度、着地エネルギー付与磁石のみが影響を受ける：項目（１）磁石。項目（２）：磁石を含むテンプレート。項目（３）：磁気効果を実行する物品バッファの開口部。項目（４）：影響を受ける磁石。項目（５）：ノイズの影響を受ける極の磁石を接続する。項目（６）：ノイズの圧力。項目（７）：圧縮空気、気体、液体：物品。項目（８）：バルブは圧縮された材料の流出を可能にし、流入は可能ではない。項目（９）：バルブは流入を可能にし、流出は可能ではない。項目（１０）：圧縮空気、気体、液体：物品。項目（１１）：圧縮されるキュービクル材料。項目１２：内部磁石キュート耐性材料。項目（１３）：歯車は、運動を垂直から水平の往復運動に変換する。項目（１４）：磁石キュート用の絶縁材料。
【図７】：磁気モーターの複数の用途のうちの１つ：往復および耐震能力スクイーズコンプレッサー：項目（１）：影響を受ける磁石。項目（２）：圧縮ベースのカラムの動作を、影響を受ける磁石に接続する。項目（３）：圧縮ベースの振動。
【図８】磁石の能力を測定するセンサー（高感度）：項目（１）：作動磁石；影響を及ぼす磁石と影響を受ける磁石の両方。項目（２）：キーグレードの電気回路。項目（３）：ディスプレイ上の極回路警告灯コネクタ。項目（４）：スプリングコンプレッサー用の銅片抑止物。項目（５）：銅スパイラルスプリング。項目（６）：極電気回路電池コネクタ。項目（７）：磁石の強さの影響を受ける鉄片スナップ。
【図９】各磁石の磁場強度を測定するために、永続的かつ継続的な読み取りを行う。項目（１）：ディスプレイ。項目（２）：警告灯は、各磁石の磁気能力がどれだけかを段階化する。
【図１０】影響を与える磁石を運搬する多くの方法のうちの１つ：項目（１）：可動磁石。項目（２）：可動磁石充電器。項目（３）：クランクのアーム運動をマグネット充電器に接続する。
【図１１】：磁石から抽出されるエネルギーを２倍にする複数の方法のうちの１つ：項目（１）：上部の影響を及ぼす磁石。項目（２）：可動磁石。項目（３）：影響を受ける磁石。
【図１２】磁石から抽出されるエネルギーを２倍にする複数の方法の別の方法。
【図１３】磁石の影響を及ぼす作動を実行するための複数の方法のうちの１つ。
【図１４】磁石の動作と磁気スペクトルの緩和を促進する複数の方法のうちの１つ。
【図１５】影響を受ける磁石を運搬する多くの方法のうちの１つ：項目（１）：影響を受ける磁石。項目（２）：磁石充電器。項目（３）：クランクのアーム運動に接続する。
【図１６】磁石ごとの２つの磁石が影響を受けて組み合わされた効果。項目（１）：可動磁石。項目（２）：影響を受ける磁石。項目（３）：クランクのアームモーションに接続する。
【図１７】一部の非干渉性カードの一部の磁石にのみ影響を受ける作動。項目（１）：可動磁石は同時に影響を受ける。項目（２）：所定の位置のブロッキングテンプレート。項目（３）：可動磁石は同時に影響を受ける。項目（４）：テンプレートの断面で、磁気スペクトルの発効をもたらす穴を遮蔽する。項目（５）：ブロッキングテンプレートの固体領域。項目（６）：磁気スペクトルの発効につながる開口部と穴。
【図１８】影響を受ける磁石は一部の化学カードでのみ一緒に作動する。
【図１９】磁気モーターの複数の用途のうちの１つ：空気、液体、気体の圧縮強度が、影響を受ける磁石の上下にエネルギーを与える。項目（１）：圧縮される材料を集めるための上部コンパートメント。項目（２）：圧縮される材料を集めるための下部コンパートメント。
【図２０】上部全体の影響を及ぼす磁石のテンプレートのクランクとクランクカラムとのトランスミッション：項目（１）：振動動作からクランクの動作を促進する軸。項目（２）：エンジン本体にクランクを取り付けるためのルール。項目（３）：小さいクランクシャフト。項目（４）クランクとクランクの間のアームの動作を接続する。項目（５）：エンジン出力に向けるのを避け、複数の用途に合わせて構成される。
【発明を実施するための形態】
【００１０】
燃料エンジン（内燃機関）のようなこの機械的なモーター磁場は、燃焼エンジンに割り当てられたセル内の酸素を爆発させる燃料混合物を置き換える。
【００１１】
分解して燃えるものを永久磁石の能力（重力と衝突）で置き換える。それらのプロセスに驚きの要素と驚きを追加するためのここでの望ましい影響は、適切で拮抗的な磁気引力への暴露、磁石の間にそれを遮蔽することを含むいくつかの要素に依存する。
【００１２】
往復動作に変わるプレス能力の燃料エンジンは、引力と斥力の磁気エンジンと同じ能力である。この能力は、クランクシャフト（９、図１）を介して垂直または水平の円運動に寄与する（図１）。
【００１３】
場合によっては、垂直または水平の往復運動が残存し、以下を使用する。
−空気、液体、または空調や冷凍ガス（フロン）などのガス用のコンプレッサーの能力（図６）。
−アスファルト、土、その他の舗装材料などの弾丸としての、キック、スタンピング、プレスの能力または耐震能力。ブロックおよびレンガの工場、プレハブコンクリートスラブ、金属、プラスチック、紙などの切断（図７）。さらに、往復運動の他の適切な使用法。
【００１４】
必要な能力に見合った数のいずれか１つの（図６）と（７）と（図１９）と、または、列中２つ（図４）もしくは２つ向かい合って、または列中３つ（図３）、列中４つ（図１）もしくは２つ向かい合って、または４つの反対のポイント、または列中５つ、列中６つもしくは２つ向かい合って、または列中８つ、もしくは２つ向かい合って、または４つの反対の位置で、または２つ向かい合って１０個、または２つ向かい合って１２個、または４つの反対の位置で、または必要な能力に応じてより多くの数、ラインナップと方法が合致する方法で適切な方法で、燃料エンジン同じ場所で（シールとスペアパーツの可用性）、磁石コール：（影響を受ける）または（エフェクター、影響を及ぼす）（２、図１）を含む磁石間の引力と斥力の寄与に影響を及ぼす更新された動作を取得する。
【００１５】
そして、反対側の各列の磁石が影響を受けるのは、次のようないくつかの方法である：
１．  ２つの影響を及ぼす配置の影響が発生し、それぞれが制御下にあり、一方の磁石が影響を受け、もう一方の側の他方、セッションごとに同時に反発された対応する磁石がクランクに放出され、１つのリーフ（Ｒｅｅｆ）が影響を受ける磁石である。クランクは共有である。
２．  前の方法と同様であるが、クランクのセッション中に、影響を及ぼす磁石と影響を受ける磁石の間で同時に引力またはパッケージを取得し、影響を受ける磁石の各々を持ち、クランクからそれをとどまらせ、対応する磁石の強い引力を満たす。
３．  反対側の上下で１つのマグネットが影響を受け、セッションごとに反対側で同時にそれをクランク４に伝えて、二重の磁石で能力を４倍にすることができた。
４．各反対側の２つの影響を受けた磁石、実際には各プレーヤーが引き付けてから反発した場合、能力は８倍になる。
【００１６】
したがって、影響を及ぼす磁石の位置として、クランクまたは隣接する列でのその動作に一致する、列ごとの影響を受ける磁石の数、または反対のグレードの数を能力に乗算する。各磁石の反対側の片側または両側が影響を受ける。
【００１７】
増殖は、１つのセッショントラフィックで能力を２倍にするために互いに接続することを目的としていた。
【００１８】
この数は、複数の幾何学的な考慮事項と、非常に必要なエネルギーの考慮事項の対象となる。
【００１９】
そして、必要な動力に応じて、磁石の能力、サイズ、および重量を選択する。
【００２０】
影響を受ける磁石（２、図１）の各列の上部の影響を及ぼす磁石（エフェクター）（２１、図１）の斥力と引力の列の影響の寄与は、磁石の極間の引力と斥力に起因する動力発生となる。
【００２１】
影響を及ぼす磁石のテンプレート（１９、２２、図１）に取り付けられた、影響を及ぼす磁石（２１、図１）と影響を受ける磁石（２、図１）との間の交換反応は、それぞれが影響を受ける磁石の磁石に対応し、影響を受ける磁石の動作と同じ順序に配置され（図１）、１つの影響を及ぼす化学極磁石が作成され、極上の磁石の影響を受けて激しい振動、たとえば、正、次に負、次に正、次に負、次に正などになる。順序は均一に影響を受けるが、磁石はすべて負極または正極にあり（２、図１）、影響を受ける磁石と磁気の間の極性を逆にすることもできる。
【００２２】
そして、使用する磁石の種類が多いほど、他のそのような強力磁石（ネオジム）（ネオジム）と区別される。影響を及ぼす磁石の作動：
影響を及ぼす磁石は、次のようないくつかの方法で作動する：
１．  固定され、突然の可用性と遮蔽と呼ばれる遮蔽材料の影響を受ける磁石に影響を及ぼす。
２．  前方と後方のいずれか、両側のいずれかの側、高さによって、離れておよび近くに着地するか、他のタイプの動作のいずれかの任意のものに向けて活発に動く。
【００２３】
磁石に運動をもたらし、テンプレートをブロックする方法：
１．  いくつかの方法で動作を伝播できるクランク（９、図１）の最良の調達は次を含む：
Ａ−クランクの垂直方向の折り目の部分が往復動作（９、図１）を折り曲げて、小さいクランクシャフトを介した往復運動に付属的に（２、図２０）アーム間を接続する（３、図２０）。ジョイントやトランジション、アームサイド、その他の経路をさらに必要とせずに、運動を、影響を及ぼすマグネットに直接伝達するため、この方法がより優れる。
Ｂ−チェーンとスプロケットと上部の小さいクランク。
Ｃ−クランクカラムの水平円運動の一部を、クランクの端にあるギア（１２、図１）を介して、ギア（１３、図１）を備えたクランク（１５、図１）に垂直に、垂直円運動に変換し、次いで、垂直円動作を水平往復動作に変換する。クランクのフック先端を通る多くの最良の方法である。このクランク（１７、図１）で、このようにして２回隆起と出現を見出し、摩擦ギアがクランクを回転させる。ペトロス垂直耳腐食性の弱点は急速さとヒットレスである。この方法は、磁石を動かすために手を伸ばすまでの細部を追加する必要があるため、これらの垂直円運動を再び水平横方向の円運動に変換してから往復運動に変換するよりも優れている。そして、この方法は縦方向の水平円運動に変換するよりも優れているが、縦方向の往復動作の要件に合わせるには、より多くのプロセッサが必要になる。
２．  影響を受ける磁石（１０、図５）の動作を、それぞれに取り付けられたアーム（８、図５）から直接導き出す。各アームには、動作を促進するピボットヒンジ（９、図５）が装備されており、すべて動作を促進するピボットヒンジ（４、図５）が装備された小さな追加のクランクシャフト（２、図５）で連結されている。テンプレート（１、図５）の可動磁石（３、図５）を、パーティのギア（５、図５）、または前述の小さいクランクカラムを通じて動かすのに使用される垂直動作があり、次いで、その動作を小さなクランク（６、図５）によって、往復動作に変換し、縦方向の動作は、巧妙なコア磁石と呼ばれるジョイント（７、図５）をすり抜ける。
【００２４】
テンプレートに入れることができる影響を及ぼす磁石（２２、図１）において意図されたこれらすべての道路およびその他の往復運動イベントは、帯域幅（１６、図１）および影響を及ぼす磁石（使用されている場合）（図１１）、および影響を及ぼす中間の磁石（使用されている場合）を移動する。影響を受ける磁石の複数のレベルの各レベルは列挙される（この方法を使用する場合）（図１２）。柔軟なリンク（１８、図１）を介してテンプレートを動かし、選択した動きに対応する。動作または運動は突起、帯を突き出し、動作をスムーズに調整する。
【００２５】
また、セッションごとに１以上のクランクを提供して、２以上の振動でイベントを利用することができる。
【００２６】
これは固定することも、外部に位置するモバイルメカニカルとすることもでき、再びカミンズ（Ｃｕｍｍｉｎｓ）に所属することもできる。磁石に影響を及ぼす方法は、影響を受ける磁石に影響を及ぼす。
【００２７】
この効果を引き起こす方法は多すぎるので、重要性と有用性が異なる、限られた数のみを表示するように制限する。
第１の方法：影響を及ぼす磁石のテンプレート（２２、図１）を流れ（２３、図１）に配置し、影響を受ける磁石の動作に見合った一定の振動で前後に動かす。影響を及ぼす磁石の数に加えて、引力と排斥を交互に繰り返すための影響を受ける磁石の数（を報告する）。
【００２８】
方法２：影響を及ぼす磁石（１  ２）を固定し、影響を受ける磁石（３  ２）の数を同じにし、誘電体と、物質（テフロン（登録商標））、物質（グラファイト）、（ビスマス）、または発見または開発される可能性のあるその他の絶縁材料などのこのテンプレートを超える磁気スペクトルの影響を防ぐための適切なブラックアウトとで作られたブロッキングテンプレート（２、図２）に制限された往復移動。
これらの材料は、あらゆる状況に適合するものを使用して、絶縁強度が異なることはよく知られている。
いずれかの影響を受ける磁石の上昇は、可動磁石の磁場を遮蔽するためのケースカバーテンプレートに適合し、遮蔽テンプレートが磁石のより高いポイントに影響を与えるとシフトし、ピーク時に突然の衝撃波と磁気の影響を発生させる。収束の最良のポイントであるフォームは、適切なタイミングで磁石と影響を受ける磁石の間の磁場を遮断し、その後、時間の経過とともにドリフトして、突然の発生と磁気の影響からボイド（５、図２）を横切って発生する。
磁場と隔離イベントの方法によるブロッキング：
離れて、前後、左右、または上下に近づくことは起こりうる。
これは、遮蔽、絶縁で発生する可能性があり、次のようないくつかの方法を有する。すべて移動、前後、左右、または片側に移動し、断片に断片化して移動し、各部分が完成し、影響を受ける磁石を移動する。または通常のドアペインのように広がる２つの部分、またはクラウドドアペインで構成され、左右または前後にある。これは隣接する半分と重なる場合があり、この動作が速くなる。
この第２の方法は、次のようないくつかの理由から簡単である。
１．  バッファクラスは、影響を及ぼす磁石の動作よりも軽くなる。なぜなら、動作の一部を妨げ、エンジン出力の一部を消費する抵抗を取り除くことで、抵抗がなくなり、エンジン出力全体が解放されるからである。
２．  これにより、影響を受ける磁石の数を超える有効な磁石が提供される。
しかし、この方法は不協和の直後に、影響を受ける磁石が戻るまで次の可動磁石引力能力が保留され、セッションごとにすべての影響を受ける磁石に対処して２倍の能力を与える最初の方法よりも効率が低い。
この場合、それはポテンシャルのみに依存し、他は無効になり、効率がほぼ半分に低下する。
この方法は、次のすべての場合に使用される。影響を受ける磁石を１列に使用する場合、または複数の列で使用する場合、上部のみに影響を及ぼす磁石（図１）、上部と下部（図１１）、または上部と下部、中央、または複数の列の影響を受ける磁石とともに使用する場合（図１２）、または影響を受ける磁石の隣接する列の中間に磁石が影響を及ぼすテンプレートを使用する場合（図１６）。
【００２９】
方法３：影響を受ける磁石（３、図１１）の動作の末端に、１つの列に影響を及ぼす磁石を同等にし（１、図１１）、下部にもう１つ（２、図１１）を作成し、各々の影響を受ける磁石の動作と調和して前後に移動させる。上部の列の磁石の斥力、下部の列の磁石の引力でサポートされ、影響を受ける磁石を追い出すと同時に牽引力と力を得る（３、図１１）。したがって、各磁石は、一方の引力と反対側からの斥力の強さに同時に影響を受けるため、エネルギーが発生し、発生は非常に高くなる。
【００３０】
方法４：２つの層（Ｄｏｒｅｅｎ）または２つを超える層に影響を及ぼす磁石を配置する−アームの長さによって影響を受ける磁石の深さは、さまざまな層の影響を及ぼす磁石の影響を受けて直接曝露が持続する場合に影響を受ける磁石を維持するために、クランクを移動して連続回転運動を行う。
上部と下部の両方の影響を及ぼす磁石と同じように機能し、それぞれが影響を受ける連続牽引磁石、排斥力、および磁石のサイクルのすべての段階で使用される引力と力を同じに保つ。
【００３１】
方法５：前の方法（第４）と同様であるが、必要に応じて影響を受ける磁石の数（図１２）を相互に列挙し、移動に十分なスペースを確保する。磁石と可動磁石のテンプレートは、第１の方法と同様に、影響を受ける磁石の規則的な動きである往復運動の前後でその経路に影響を及ぼす。
そして、影響を及ぼす磁石の数に加えて、引力とパッケージを交互に切り替えるための影響を受ける磁石の数について、各磁石は同時に２つの効果プロセスとなり、影響を受ける磁石の各レベルの間で、負の極と磁石の極の間の１つの引力が上部の正に影響を及ぼし、正の極と磁石の極の間の不協和がその下部に正の影響を及ぼすなどする。
また、各レベルの磁石を取り付けて、遮蔽プロセスの磁石に影響を及ぼす動作イベントに依存し得る。
必要に応じて、方法間で多様化し得る。
【００３２】
方法６：影響を受ける磁石の動作によって、負と正の間で影響を及ぼす磁石の面を回転する。
しかし、この方法はスライディング方法よりも遅く、磁気の良好な露出の機会の乗っ取りは不適格である。
【００３３】
方法７：トラックの動作と同様に、影響を及ぼす磁石のテンプレート全てを円運動で動かす（図１３）。
この方法は迅速であるが、その欠陥は複数の磁石を準備する必要があり、より多くのスペースが必要である。
【００３４】
方法８：影響を及ぼす磁石のテンプレート全てを最初は通常と同じように前後に往復運動させるが、２列の影響を受ける磁石の中間にある影響を及ぼす磁石テンプレート（図１６）で、２つの磁石のすべての磁石が同時に影響を受けまる。これらは互いに相互作用したり拮抗したりし、全ての磁石のトランザクションごとに、２つの磁石が右と左での２つの影響を受ける影響をもたらす。または、上部と下部に１つずつあるが、磁極の効率が、化学または別の不一致でふさがる他の極による影響を受けないことはよく知られている。
そしてこのようにして、２つが互いに独立しているように、一度に２つに機械化された２つを生成する。各寄与は個別に分離して行うことができ、１つの容量で潜在能力を収集できる。
【００３５】
方法９：前の方法（８）と完全に似ているが、磁石はなく、磁石の効果の一部（１、３、１７）は引力と拮抗作用の影響を受け、効果は上の段落で述べたテンプレートブロック（２、４、図１７）を前後に移動するための磁気分離とブロッキングを行う方法のうちの１つのブロッキングに依存する。
動作の妨げにならないように、ブロックバスター志向の極を互いにブロッキングする現在の固体領域ブロッキング（５図１７）により、それがミートに近づくとき、それが起こるまで、磁石とワシ（ｅａｇｌｅｓ）（１、３、１７）の磁場の前のブロックテンプレート（６、図１７）の穴にカーテンが移動する。ピーク時の不調和。または逆のプロセス。互いに異なるすべての極を遮蔽することに依存していることも、たとえ末端の間隔に達して化学の恐ろしい遮蔽が発生するとしても、彼の賞賛を称賛する（ｇｌｏｒｉｆｙ  ｈｉｓ  ｐｒａｉｓｅｓ）（図１８）。そして、化学は養子縁組（ａｄｏｐｔｉｏｎ）よりも弱いかもしれない。
この方法は、その前の方法（８）のほぼ半分の効率でしかない。
そして、あまりにも多くの影響イベントと無制限につながる道路は、最も重要なものに限定されていた。
影響を受ける磁石を適切に分離するために、絶縁を省き、磁気をブロッキングすることができるが、おそらく、各磁石の独立性が、２つの磁石を接触せずに割り当て、一方は引力で、もう一方は排斥で、可動列に影響を与えるため、その作動に影響を及ぼす。
また、遮蔽の変位と動作は、影響を及ぼす磁石に制限するか、ブロッキングテンプレートのみに限定するか、またはその両方にすることができる。
好ましくは、影響を受ける磁石を短くすることを考慮すると、脚を短くすると、クランクの折り目が短くなる。これは、磁石間の距離が短くなるため、また影響を受ける場合は、弱い影響を引き付けるパッケージであるためである。
影響を受ける磁石をその場所に戻すために、斥力の波（ピストンコンプレッサーなどの場合）が磁気引力を使用した後、以前の場合と同様に、使用することができる。
たとえば（クリック）または圧縮空気または液体またはガスなどの手段としての活気のあるスプリングを戻す。これらの場合、スプリング圧力スプリング（クリック）または空気または液体またはガスなどの容量の一部が失われる（第２のセッションで戻ってさらにＣ燃料と空気を押すティッパーピストン燃料エンジンのように）したがって、磁力を使用して影響を受ける磁石を元の位置に戻すのが最善であり、新しい能力イベントに寄与する可能性は、別の用途に戻る可能性がある。セルベーシック（２、図１９）の同じ機能とともに、引き抜くか、ハッチの反対側に別の圧力をかける（１、図１９）。
【００３６】
結論：多くの磁石イベントの機械的能力の方法は次を含む：
第１：磁気分離または間隔を使用して、影響を受ける磁石の上昇と下降の間に、１つのパーセル力のみが１つのみの一定の磁石に接触し、各磁石が影響を受ける（図２）。
第２：磁気分離または間隔を使用して、影響を受ける磁石の上昇と下降の間に、磁石の１つの引力のみが１つのみの物理的接触をし、各磁石が影響を受ける（図２）。
第３：２つの磁石の引力と排斥力（またはその逆）が、影響を受ける磁石の上昇と下降の間に、交互に動き、効力を発する（図１）。
第４：分離または間隔を使用して、一方が制御下にあり、他方が他の側にある、他の側の固定された磁石が続く、もう１つのパーセル力（ｐａｒｃｅｌ  ｆｏｒｃｅ）の排斥力。
第５：分離または間隔を使用して、一方が制御下にあり、他方が他の側にある、他の側の固定された磁石が続く、もう１つの引力の引力。
第６：すべての影響を受ける磁石と崩壊したばかりのモバイルプレーヤーの上昇中の引力と排斥の力は、制御下で交代するように配置され、反対側でそれらを表す。影響を受ける磁石は、一方では牽引力を発揮し、上昇時にはもう一方から放出され、着地時には可逆的である（図１１）。
第７：前と同じ方法であるが、二重磁石が影響を及ぼし、影響を受ける（図１２）。
第８：影響を及ぼす磁石テンプレートを配置すると、影響を受ける２列の磁石の間で往復運動の前後に移動する（図１６）。これは、２つの影響を受けた磁石のすべての磁石が同時に相互作用したか、拮抗作用をした場合に発生する。
第９：前の方法と完全に似ているが、磁石はなく、何らかの拮抗作用（１、３、１７）または親和性（図１８）で影響を受ける磁石の効果であり、効果は遮蔽や間隔などに依存する。
先に述べたように、あまりにも多くの磁石と無限である手段と影響のうち、モデルのみを報告した。
【００３７】
磁石からの力を維持する方法：
磁石、影響を受ける磁石は激しい抵抗に直面し、鉄のように周囲の材料とスペクトルの磁気接着を処理するためそれらは一緒に簡単に作業することができない。
この問題を克服するには、例えば次のような多くの方法でこの問題を取り除くことができる。
１．  エンジン本体全てを、銅やアルミニウム、強化プラスチックなどの磁場の影響を受けない材料とする。
２．  そのような鉄片であっても、厚さが完全な分離をもたらすのに十分である、磁石間の磁場の絶縁材料を使用する。磁石を封入できる絶縁材料は多く存在する。絶縁は、製造時のキュート磁石内の磁性部品を対象とでき、この方法で磁石を再充電できない、または磁石の動作を妨げるなどの障害が発生しなかった場合、無視されるものを覆う。
３．  アーマチュアの一方向は、磁気スペクトル効果が弱まるのに十分な距離だけ磁石を分離する。
【００３８】
さらに、影響を及ぼす磁石はまた、激しく振動するＣｏｎｆｌｕｅｎｃｅ極の反発、負と負または正と正の際に強い圧力がかかるため、別のタイプからの強い抵抗に直面する。そして、異なる極、負と正の収束の扇動で獲得された抗力は、これにより、移動に影響を及ぼす磁石を選択すると摩擦が発生する。これにより、次のようないくつかの問題のある摩擦が発生する。
１．  重量、エンジンの動作、エネルギー損失の一部。
２．  摩擦のあるものを、使用期間とともに使い果たす。
３．  激しい熱を発生させる。
【００３９】
摩擦や抵抗、または緩和を取り除くには、次のようないくつかの方法がある。
１．  フリクションピボットの恒久的な潤滑。
２．  レール上で実行する場合、ブロックマグネット、Ｒｏｍａｎ  Ｙｅｓ（図１４）の高速テンプレートのスライドを容易にするか、またはモバイルテンプレート（図２２）と磁場に対して脆弱な材料であるハードリッド（１９、図１）の間にＲｏｍａｎ  Ｙｅｓ（２０図１）をくさびで留める。
【００４０】
たとえば銅のように、または前述の手段または他の手段によって磁場の影響を削除する。
【００４１】
たとえば銅のように、または前述の手段または他の手段によって磁場の影響を削除する。
【００４２】
衝撃や打撃、または高熱などによって磁気能力が弱くなるか失われる可能性があり、弱い磁石またはその能力の損失を発見するために、各磁石に機械的（図８）または電気的または電子的、または他の手段のセンサー（センサー）を取り付け、最後まで導き、すべての磁石の磁場強度を測定するための永続的かつ継続的な読み取りを提供する。
【００４３】
そして、これを別の画面（図９）で読んで、命令および制御を配置する。車両や機械などで、すべての感受性のトラフィックの色勾配、または１つの色の段階的な強度のシグナル光、段階的な点滅またはビープの勾配の力、またはその他の方法で光信号の目的に合わせて、減少してから減少の増加に伴って増加するか、またはその逆で、低能力で強力なスタートを開始し、次に能力の低下に伴って勾配を下げる。
【００４４】
これの目的は、弱い磁石または返送された運搬物を交換すること、または磁石充電を実行することである（１０）および（図１５）。繊細さは、自然条件や状況で失われたエネルギーと稼働時間の比率によって、いずれかの磁石に残っているおおよそのデフォルトの動作寿命を決定できる。
【００４５】
繊細なまたは機械的なセンサーにはいくつかの部品が含まれており、次のようないくつかの図面で製造できる：鉄片を置く（７、図８）または鉄として機能し、スパイラルスプリングに取り付けられ（５、図８）、銅の前部または真ちゅう製ロコ（Ｌｏｃｏ）によって抑止される（４、図８）遅延と進行の影響を受けるレールピースキュート磁石動作中（１  ８）。磁石の強さと弱さに従って、後退または前進し、ロッドグレード（２、図８）またはディスプレイ（１、図９）のこの磁石の灯（２、図９）の電流を呼び出すのと同じ物によって２つの極間に接続された電気回路によって磁石を置くための読み取りを行う（３、６、８）。
【００４６】
再充電方法と磁化：
磁気モーターの設置は、影響を及ぼす磁石における希釈や、何らかの理由で接触しないでの磁化があったときに、磁石の運搬または交換が容易になるために必要である。ディスプレイでのこの警告シグナルのための標準センサー（図８）は、磁石（図９）を緩めてエンジンの外に運搬するか、この磁石を作動させるための特別な充電器を提供し、磁石が完全に充電（飽和）すると、この磁石のディスプレイの信号が消え、充電器に命令を与える。充電器の実行中も作業を継続することが適切な場合があるため、必要に応じて動作中に磁石を継続的に充電し、害がなければ、充電器をセンサーに接続して維持する必要はなく、何らかの理由で損傷した磁石または運搬を検出するための動作センサーを維持する。
【００４７】
充電器は影響を及ぼす磁石（２、図１０）であり得、影響を及ぼす磁石（１、図１０）に近づくため、磁石の極として、また影響を受けた磁石（１、図１５）とのトラックの磁石の作動（２、図１５）として、移動中または戻り中に摩擦と押しつぶしを求める。上昇中に求めて摩擦するようにそれに近づき、着地時に離れるか、磁石の反対の極だけを離れ、触手（３、図１５）またはその他の目的でクランクシャフトに接続する。
【００４８】
または、断続的なストリームによって、電気ファイルを使用し、２つの動作のいずれかで作動し、他の作動で切断するか、常に作動するが、各磁石または他のマルチメディアで一緒に動作中に運搬されるために極間を切り替える。
【００４９】
１つの充電器は、両側から運搬して充電器を左右、手前と奥に動かし、各磁石が上下に移動中に接触せずに運搬し、一度に一緒に運搬することができる。これは同時に上昇と下降を繰り返すが、磁石が上昇すると最初に影響を受ける。
【００５０】
２番目のケースでは、影響を受ける磁石が外れ、次に向きを変えたり、転覆したり、遮蔽材料を持って降りてきて、それぞれ覆い隠したり開いたりする。または、ミッションを逆方向に導く、または充電器を使用する、正極と負極の間の交換、または他の適切な手段による変化であり、それらは多くある。
【００５１】
そして磁石の再充填において述べるとおりである。
【００５２】
磁石を再充電して変更するための店や場所を開く必要があり（調理用ガスボンベが店を切り替えるように）、任意の弱い磁石デコーダーや前述のエネルギー、道路、運搬の浪費の磁化を外部でリセットする必要がある。すぐに交換できる場所に備えて、さまざまな能力とサイズの磁石を運搬できる。
【００５３】
開始、停止、および速度を制御する：
速度を制御し、必要に応じて減速して停止することができる。または、制御の増加とその分散の恐れ、強制、または磁場へのアイブローのいずれかの場合も同様である。
【００５４】
次の望ましい３つの手段が提案される：
１．  エンジンが瞬間的に完全に停止するまで、磁場（２、５、２）を一度にまたは徐々にブロックする。または、ステージング領域を保留して、目的の速度に達するまで速度を下げ、次に、再度実行すると、遮蔽が徐々に変位して磁石が相互作用し、作動して自動的に移動し、エンジン速度まで徐々に遮蔽をシフトし続ける。
２．  車のブレーキと同じように、モーターを徐々に減衰させ（４、図２）、必要な速度まで徐々に低速にするか、または停止させる。アクセルやブレーキを操作するのは自由意志でできる。
３．  必要に応じて、影響を受ける磁石の間隔効果から磁石を徐々に移動させる。必要ならば、起動デバイス（スターター）の移動を開始するために使用できる。
【００５５】
エンジンの冷却：
エンジンの冷却プロセスでは、遠心力として空気や水、またはその他の磁石が必要になる場合がある。直接接触している場合、カレッジ（Ｃｏｌｌｅｇｅ）で磁石が弱くなったり強度が低下したりすることはない。磁石は力を弱めたり、失ったりする可能性があり、要するに高熱への暴露を含むいくつかの要因のためであり、影響の程度は磁石の種類に依存する。
【００５６】
エンジンには、補足要件、追加機能などの改善が含まれている。
１．  オイルを使用する必要がある場合のエンジンオイルコンテナ。
２．  オイルポンプは、滑りを促進して摩擦を減らし、冷却を助けるために、摩擦のある領域にオイルを運ぶ。
３．  冷却のために磁石の間に散在するウォーターポンプを押す。
４．  場合によっては、モーターの年式カバー、またはトップカバー。
５．  必要に応じて、ウォータークーラー（ラジエーター）、フロンコンプレッサーと調整（発電用のダイナモ）、および必要に応じてその他の基本要件または補足要件。
【図１】
2021520182.tif 000003
【図２】
2021520182.tif 000004
【図３】
2021520182.tif 000005
【図４】
2021520182.tif 000006
【図５】
2021520182.tif 000007
【図６】
2021520182.tif 000008
【図７】
2021520182.tif 000009
【図８】
2021520182.tif 000010
【図９】
2021520182.tif 000011
【図１０】
2021520182.tif 000012
【図１１】
2021520182.tif 000013
【図１２】
2021520182.tif 000014
【図１３】
2021520182.tif 000015
【図１４】
2021520182.tif 000016
【図１５】
2021520182.tif 000017
【図１６】
2021520182.tif 000018
【図１７】
2021520182.tif 000019
【図１８】
2021520182.tif 000020
【図１９】
2021520182.tif 000021
【図２０】
2021520182.tif 000022
【国際調査報告】
2021520182.tif 000023
2021520182.tif 000024